(57)【特許請求の範囲】
【請求項１】
商品出入れ用の開口を有し断熱壁で形成されたショーケース本体の下方に機械室を設け、この機械室の前面開口を点検蓋で開閉自在に閉塞するショーケースの前記点検蓋の開閉構造において、Ｌ字形の取付孔が形成された取付片を前記前面開口の上縁から垂設し、前方に突出する係止摘みを前記取付孔にスライド自在に挿入し、前記点検蓋に前記係止摘みがスライド自在かつ着脱自在に挿入する係止孔を設けたことを特徴とするショーケースの点検蓋の開閉構造。
【請求項２】
前記係止孔には、係止摘みよりも小径のロック部と、係止摘みよりも大径の非ロック部とを形成したことを特徴とする請求項１記載のショーケースの点検蓋の開閉構造。
【請求項３】
前記取付孔は、垂直部と水平部とからなる略逆Ｌ字形に形成され、垂直部が前記ロック部に対応し、水平部が前記非ロック部に対応することを特徴とする請求項１または請求項２に記載のショーケースの点検蓋の開閉構造。
【請求項４】
前記水平部の端部下部に係止凹部が形成されることを特徴とする請求項３記載のショーケースの点検蓋の開閉構造。
【請求項５】
前記係止摘みは、取付孔から前方に頭部が突出し後方にネジ部が突出する摘みネジと、このネジ部に螺合するワッシャーおよびナットとで構成されることを特徴とする請求項１または請求項２に記載のショーケースの点検蓋の開閉構造。
【発明の詳細な説明】
【技術分野】
【０００１】
本発明は、スーパーマーケットなどの店舗に設置されるショーケースの機械室の前面開口に取付けられる点検蓋の開閉構造に関するものである。
【背景技術】
【０００２】
ショーケースは、図７に示すように上面に商品出入れ用の開口２を有し断熱壁で形成された断面略コ字形のショーケース本体１内を仕切り板３で商品収納庫４と冷気循環ダクトとに区画し、開口２の端部に商品収納庫４内を照射する蛍光灯５などの照明灯と照明灯スイッチ６を配設し、冷気循環ダクト内には冷気を開口２や庫内に送風するための送風機を配設している。
【０００３】
また、ショーケース本体１の下方には機械室７を設け、機械室７内に圧縮機や凝縮器、送風機などからなる冷凍ユニット・電装ボックス８を配設しているものもある。
【０００４】
機械室７の前面は、メンテナンスのための開口部９に形成し、この開口部を点検蓋１０で開閉自在に覆う。
【０００５】
点検蓋１０の開口部９への取付構造として、従来は例えば上引掛け方式と下引掛け方式とがあり、上引掛け方式では点検蓋１０の背面側下部にマグネットを取り付けるとともに、背面側上部にフックを取り付け、他方、開口部９の上縁に前記フックが係合する係止突片を設けている。
【０００６】
そして、点検蓋１０の上部はフックが係止突片に回動自在に係合され、下部はマグネットが機械室７の外枠に磁着されることで、点検蓋１０は開口部９に開閉自在に取付けられている。
【０００７】
一方、下引掛け方式では、上引掛け方式とは反対に点検蓋１０の背面側上部にマグネットを取り付けるとともに、背面側下部に係止孔を形成し、他方、開口部９の下縁に前記係止孔に挿入する係止フックを設けている。
【０００８】
そして、点検蓋１０の上部はマグネットが機械室の外枠に磁着され、下部は係止孔に係止フックが回動自在に挿入されることで、点検蓋１０は開口部９に開閉自在に取付けられている。（例えば特開平１０-３１１６５７号公報）
【特許文献１】特開平１０-３１１６５７号公報
【発明の開示】
【発明が解決しようとする課題】
【０００９】
前記上引掛け方式では、ショーケースの運搬時などにショーケースが揺れて点検蓋の下部が磁力に抗して開口部から離間しても、点検蓋の上部はショーケース本体側に係止され、フックにより吊支持されている状態にあるから、点検蓋がバウンドしてもショーケース本体から外れることはない。
【００１０】
しかし、開閉部分が点検蓋の下部であり、開閉方向が下方から上方に点検蓋を持ち上げる方向となっているため、機械室内の装置のメンテナンス時には点検蓋を持ち上げたままの状態で作業をすることはできず、点検蓋の全体を機械室の開口部から外してこれを床に置くなどの必要があり、作業性がよくない。
【００１１】
他方、下引掛け方式の場合は、点検蓋の上部を磁力に抗して外して、下部を係止フックを介して手前に回動できるから、点検蓋を手前に倒して機械室の開口縁に引掛けたままの状態でメンテナンスなどの作業を行えるが、前記のように点検蓋の上部は磁力によって開口縁に固定されているだけであるから、ショーケースの移動時などに振動などの外力がショーケースに加わると、そのはずみで点検蓋の上が外れるおそれがある。
【００１２】
本発明は前記従来例の不都合を解消するものとして、ショーケースの移動時には簡単な操作で点検蓋をロック状態にでき、振動などの外力がショーケースに加わっても、点検蓋が簡単に外れることがなく、安定した状態でショーケースを移動でき、また、機械室内の装置のメンテナンス時には簡単にロックを解除できて容易に点検蓋を開閉でき、しかも点検蓋の全体を開口部から完全に外さずに開状態を保持でき、メンテナンス時などに作業性を向上できるショーケースの点検蓋の開閉構造を提供するものである。
【課題を解決するための手段】
【００１３】
請求項１記載の本発明は、商品出入れ用の開口を有し断熱壁で形成されたショーケース本体の下方に機械室を設け、この機械室の前面開口を点検蓋で開閉自在に閉塞するショーケースの前記点検蓋の開閉構造において、Ｌ字形の取付孔が形成された取付片を前記前面開口の上縁から垂設し、前方に突出する係止摘みを前記取付孔にスライド自在に挿入し、前記点検蓋に前記係止摘みがスライド自在かつ着脱自在に挿入する係止孔を設けたことを要旨とするものである。
【発明の効果】
【００１４】
以上述べたように本発明のショーケースの点検蓋の開閉構造は、点検蓋の下部を機械室の開口縁に回動自在に係止し、上部は係止摘みを係止孔に着脱させる構造としたから、ショーケースの移動時に振動などの外力がショーケースに加わっても、点検蓋が簡単に外れることがなく、安定した状態でショーケースを移動でき、また、機械室内の装置のメンテナンス時には摘みを移動させるだけで点検蓋を開閉でき、しかも点検蓋の全体を開口部から完全に外さずに開状態を保持でき、メンテナンス時などに作業性を向上できるものである。
【発明を実施するための最良の形態】
【００１５】
以下、図面について本発明の実施形態を詳細に説明する。図１は本発明のショーケースの点検蓋の開閉構造の実施形態を示す縦断側面図、図２は本発明のショーケースの点検蓋の開閉構造の実施形態を示す要部である点検蓋に形成した係止孔の正面図、図３は係止摘みが取付けられた取付片の正面図で、ショーケースの全体構造は図４について既に説明したとおりであるからここでの詳細な説明は省略する。
【００１６】
本発明の点検蓋１０も、商品出入れ用の開口２を有し断熱壁で形成されたショーケース本体１の下方に形成された機械室７の前面の開口部９を開閉自在に閉塞するものであり、点検蓋１０の上部が開閉自在に係止され、下部が回動自在に係止される。
【００１７】
上部の開閉自在な係止構造として、本発明では係止摘み１１と、機械室７の前面の開口部９の上縁から垂設される係止摘み１１の取付片１２と、点検蓋１０に形成されこの係止摘み１１がスライド自在かつ着脱自在に挿入する係止孔１３とで構成する。
【００１８】
係止摘み１１は、図１に示すように頭部１１ａが取付片１２より前方に突出し、ネジ部１１ｂが取付片１２より後方に突出する摘みネジと、このネジ部１１ｂに螺合するワッシャー１４およびダブルナット１５とで構成される。
【００１９】
取付片１２は、図３にも示すようにアングル状の細長板で構成し、垂直部１６ａと水平部１６ｂとからなる略逆Ｌ字形の取付孔１６を形成した。
【００２０】
そして、この取付孔１６に係止摘み１１のネジ部１１ｂが挿入され、後方のワッシャー１４とダブルナット１５と、前方の頭部１１ａとで取付片１２を前後から挟み込むようにして係止摘み１１が取付孔１６を介して取付片１２にスライド自在に取付けられる。
【００２１】
また、点検蓋１０には、前記したとおり係止摘み１１がスライド自在かつ着脱自在に挿入する係止孔１３を設けた。この係止孔１３は、図２に示すように係止摘み１１の頭部１１ａよりも小径でネジ部１１ｂの径程度の径を有するロック部１３ａを下部に、係止摘み１１の頭部１１ａの径よりも大径の非ロック部１３ｂを上部に形成した。
【００２２】
そして、ロック部１３ａを前記取付孔１６の垂直部１６ａの下部と位置を合致させ、非ロック部１３ｂを水平部１６ｂの端部下部と位置を合致させる。水平部の端部下部には、ネジ部１１ｂが嵌入する係止凹部１６ｃを形成しておく。
【００２３】
以上のようにして取付片１２の取付孔１６にスライド自在に挿入された係止摘み１１は、さらにその頭部１１ａが点検蓋１０の前方に突出した状態で点検蓋１０に形成した係止孔１３にスライド自在かつ着脱自在に挿入されることになる。
【００２４】
下部の回動自在な係止構造としては、点検蓋１０の下部を内側にコ字形に折返し、ここに係止孔を形成して引掛け部とし、機械室７の開口部９下縁に前記係止孔に回動自在に差込まれるチャンネル形状の受け部を取りつけた。
【００２５】
次に開閉動作を説明する。点検蓋１０が閉じられている状態では、図３、図４に示すように係止摘み１１は取付孔１６の垂直部１６ａの下端に位置し、自重でこの位置に係止している。
【００２６】
この状態で係止摘み１１は点検蓋１０に形成した係止孔１３のロック部１３ａに落とし込まれており、係止摘み１１によって点検蓋１０はロック状態にあり開くことはない。
【００２７】
この状態から、機械室７内の機械のメンテナンスなどのために、点検蓋１０を開くには、係止摘み１１の頭部１１ａを指先で摘んでこれを図４において上方さらに右方へと取付孔１６にそってスライドさせれば、図５に示すようにネジ部１１ｂが水平部１６ｂの下部の係止凹部１６ｃに嵌入してこの位置に係止する。
【００２８】
この係止位置では、図６に示すように係止摘み１１の頭部が点検蓋１０に形成されている係止孔１３の非ロック部１３ｂに位置するから、頭部１１ａが大径の非ロック部１３ｂに入り込みロック状態が解除される。
【００２９】
これにより点検蓋１０は下部の回動部を支点として上部が手前に倒れる。よって、点検蓋１０の全体を取外さずに、下部を開口部９の下縁に取り付けたままの状態で開くことができる。
【００３０】
点検作業終了後、点検蓋１０を閉じるには、点検蓋１０の上部を閉じる方向に押して、係止摘み１１の頭部１１ａを非ロック部１３ｂから前方に突出させ、この状態で頭部１１ａを取付孔１６にそって水平部１６ｂから垂直部１６ａへとスライド移動させれば、係止摘み１１がロック部１３ａに移動し、この位置で係止するから点検蓋１０は閉じた状態でロックされる。
【図面の簡単な説明】
【００３１】
【図１】本発明のショーケースの点検蓋の開閉構造の実施形態を示す縦断側面図である。
【図２】本発明のショーケースの点検蓋の開閉構造の実施形態を示す要部である点検蓋の係止孔の部分の正面図である。
【図３】本発明のショーケースの点検蓋の開閉構造の実施形態を示すロック状態の取付片に係止摘みが係止した状態の正面図である。
【図４】本発明のショーケースの点検蓋の開閉構造の実施形態を示すロック状態の正面図である。
【図５】本発明のショーケースの点検蓋の開閉構造の実施形態を示すロック解除状態の取付片に係止摘みが係止した状態の正面図である。
【図６】本発明のショーケースの点検蓋の開閉構造の実施形態を示すロック解除状態の正面図である。
【図７】ショーケースの全体斜視図である。
【符号の説明】
【００３２】
１  ショーケース本体            ２  開口
３  仕切り板                    ４  商品収納庫
５  蛍光灯                      ６照明灯スイッチ
７  機械室                      ８  冷凍ユニット・電装ボックス
９  開口部                      １０  点検蓋
１１  係止摘み                  １１ａ  頭部
１１ｂ  ネジ部                  １２  取付片
１３  係止孔                    １３ａ  ロック部
１３ｂ  非ロック部              １４  ワッシャー
１５  ダブルナット              １６  取付孔
１６ａ  垂直部                  １６ｂ  水平部
１６ｃ  係止凹部
【図１】
0005109798.tif 000002
【図２】
0005109798.tif 000003
【図３】
0005109798.tif 000004
【図４】
0005109798.tif 000005
【図５】
0005109798.tif 000006
【図６】
0005109798.tif 000007
【図７】
0005109798.tif 000008